(57)【要約】【課題】原稿を画像読取装置で読み込む場合、表紙に画像形成する原稿と、文書用紙に画像形成する原稿を別々に読み込む必要がなく１回の読み込み操作で行える画像形成装置及び製本システムの提供を目的とする。【解決手段】用紙上に画像形成を行う画像形成装置において、複数の原稿を読み取る読取手段と、表紙作成用用紙と文書作成用用紙を供給する供給手段と、前記読取手段で読み取られる原稿の中から任意の原稿を指定する指定手段と、前記用紙の選択を制御する制御手段と、を有し、前記制御手段は、前記指定手段により指定された原稿が画像形成されるとき、前記供給手段で表紙作成用用紙が選択されるように制御する【選択図】図１
2007150812.tif 000002
【特許請求の範囲】
【請求項１】
用紙上に画像形成を行う画像形成装置において、
複数の原稿を読み取る読取手段と、
表紙作成用用紙と文書作成用用紙を供給する供給手段と、
前記読取手段で読み取られる原稿の中から任意の原稿を指定する指定手段と、
前記用紙の選択を制御する制御手段と、を有し、
前記制御手段は、前記指定手段により指定された原稿が画像形成されるとき、前記供給手段で表紙作成用用紙が選択されるように制御することを特徴とする画像形成装置。
【請求項２】
前記制御手段は、前記指定手段により指定された原稿が文書作成用用紙にも画像形成されるように制御することを特徴とする請求項１に記載の画像形成装置。
【請求項３】
前記制御手段は、前記指定手段により指定された原稿が前記表紙作成用用紙の任意な位置に画像形成されるように制御することを特徴とする請求項１又は２に記載の画像形成装置。
【請求項４】
前記制御手段は、前記画像形成装置により画像形成された用紙を製本する製本システムによって製本される形態を予め表示するように制御することを特徴とする請求項１乃至３の何れか１項に記載の画像形成装置。
【請求項５】
画像形成装置と、画像形成装置によって画像出力された用紙を製本する製本装置と、からなる製本システムにおいて、
複数の原稿を読み取る読取手段と、
表紙作成用用紙と文書作成用用紙を供給する供給手段と、
前記読取手段で読み取られる原稿の中から任意の原稿を指定する指定手段と、
前記用紙の選択を制御する制御手段と、を有し、
前記制御手段は、前記指定手段により指定された原稿が画像形成されるとき、前記供給手段で表紙作成用用紙が選択されるように制御することを特徴とする製本システム。
【請求項６】
前記制御手段は、前記指定手段により指定された原稿が文書作成用用紙にも画像形成されるように制御することを特徴とする請求項５に記載の製本システム。
【請求項７】
前記制御手段は、前記指定手段により指定された原稿が前記表紙作成用用紙の任意な位置に画像形成されるように制御することを特徴とする請求項５又は６に記載の製本システム。
【請求項８】
前記制御手段は、前記製本システムによって製本される形態を予め表示するように制御することを特徴とする請求項５乃至７の何れか１項に記載の製本システム。
【発明の詳細な説明】
【技術分野】
【０００１】
画像形成装置及び画像形成装置と製本装置を接続して製本を行う製本システムに関する。
【背景技術】
【０００２】
近年、複写機、プリンタ、これらの複合機等の画像形成装置により画像が記録された用紙に対して、ステイプル手段を使った綴じ処理、用紙束の一端面に接着剤を塗布し、該一端面に表紙を接着し、用紙束を表紙用紙でくるんで製本するくるみ製本処理などの複数の後処理手段を有する製本装置が提供されている。
【０００３】
また製本された表紙には冊子内容を明記するために標題など印刷することが行われており、製本手段に表紙を供給する手段として製本装置内の表紙供給部から表紙を搬送する方式が広く採用されている（例えば特許文献１）。
【０００４】
また表紙に印字する印字手段を備え、ドキュメントプリント時に併せて表表紙から背表紙、裏表紙まで含んだ表紙を自動的に生成、印刷するシステムが特許文献２に記載されている。
【特許文献１】特開２００４−２０９８６９号公報
【特許文献２】特開２００１−２０５８５７号公報
【発明の開示】
【発明が解決しようとする課題】
【０００５】
しかしながら特許文献１に記載の画像形成システムの場合は表紙供給部にセットした表紙に対して印字することができないため、予め印字済みの表紙をセットしなければならない。また、特許文献２に記載の画像形成システムの場合、包み製本時に、作成した文書などを登録して出力するドキュメントプリントではなく、自動原稿送り装置から画像情報を読み込む場合、表紙に包まれる用紙束に画像形成する原稿と、表紙に画像形成する原稿を２回にわけて読み込みを行っていた。
【０００６】
そこで、本発明は、簡単な構成で、表紙に包まれる用紙束に画像形成する原稿と、表紙に画像形成する原稿とを区別することなく１回で画像情報を読み込んでも、別々に画像形成する画像形成装置を提供することを目的とする。
【課題を解決するための手段】
【０００７】
（１）
用紙上に画像形成を行う画像形成装置において、
複数の原稿を読み取る読取手段と、
表紙作成用用紙と文書作成用用紙を供給する供給手段と、
前記読取手段で読み取られる原稿の中から任意の原稿を指定する指定手段と、
前記用紙の選択を制御する制御手段と、を有し、
前記制御手段は、前記指定手段により指定された原稿が画像形成されるとき、前記供給手段で表紙作成用用紙が選択されるように制御することを特徴とする画像形成装置。
（２）
前記制御手段は、前記指定手段により指定された原稿が文書作成用用紙にも画像形成されるように制御することを特徴とする（１）に記載の画像形成装置。
（３）
前記制御手段は、前記指定手段により指定された原稿が前記表紙作成用用紙の任意な位置に画像形成されるように制御することを特徴とする（１）又は（２）に記載の画像形成装置。
（４）
前記制御手段は、前記画像形成装置により画像形成された用紙を製本する製本システムによって製本される形態を予め表示するように制御することを特徴とする（１）乃至（３）の何れか１項に記載の画像形成装置。
（５）
画像形成装置と、画像形成装置によって画像出力された用紙を製本する製本装置と、からなる製本システムにおいて、
複数の原稿を読み取る読取手段と、
表紙作成用用紙と文書作成用用紙を供給する供給手段と、
前記読取手段で読み取られる原稿の中から任意の原稿を指定する指定手段と、
前記用紙の選択を制御する制御手段と、を有し、
前記制御手段は、前記指定手段により指定された原稿が画像形成されるとき、前記供給手段で表紙作成用用紙が選択されるように制御することを特徴とする製本システム。
（６）
前記制御手段は、前記指定手段により指定された原稿が文書作成用用紙にも画像形成されるように制御することを特徴とする（５）に記載の製本システム。
（７）
前記制御手段は、前記指定手段により指定された原稿が前記表紙作成用用紙の任意な位置に画像形成されるように制御することを特徴とする（５）又は（６）に記載の製本システム。
（８）
前記制御手段は、前記製本システムによって製本される形態を予め表示するように制御することを特徴とする（５）乃至（７）の何れか１項に記載の製本システム。
【発明の効果】
【０００８】
原稿を画像読取装置で読み込む場合、表紙に画像形成する原稿と、文書用紙に画像形成する原稿を別々に読み込む必要がなく１回の読み込み操作で行えるので作業時間の短縮になる。
【発明を実施するための最良の形態】
【０００９】
次に、本発明の画像形成装置、製本装置、及び製本システムを図面に基づいて説明する。
【００１０】
〈画像形成装置Ａ〉
図１は画像形成装置Ａと製本装置Ｂとを備えた製本システムの全体構成図である。
【００１１】
画像形成装置Ａは、回転する像担持体１１の周囲に、帯電手段１２、像露光手段１３、現像手段１４、転写手段１５、除電手段１６、及びクリーニング手段１７を配置した画像形成部を有する。画像形成部は、帯電手段１２によって像担持体１１の表面に一様帯電を行った後に、像露光手段１３のレーザビームによって原稿から読み取られた画像データに基づく露光走査を行って潜像を形成し、潜像を現像手段１４により反転現像して像担持体１１の表面にトナー像を形成する。なお画像データはパーソナルコンピュータＰＣなどの外部機器としての画像データ作成手段（パソコンＰＣという）などから作成され受信した受信画像情報でも良い。
【００１２】
また以下の説明において文書作成用紙を用紙Ｓ１、表紙作成用紙を用紙Ｓ２、という。
【００１３】
用紙Ｓ１給紙部２０（供給手段）から給紙された用紙Ｓ１は転写位置へと送られる。転写位置において転写手段１５により前記トナー像が用紙Ｓ１上に転写される。その後に、用紙Ｓ１は除電手段１６により裏面の電荷が消去されて像担持体１１から分離され、搬送部７により搬送され、引き続き定着手段１８により加熱定着され、排紙ローラ７Ｃから排出された用紙Ｓ１は、搬送路切り替え板７Ｄにより第１の排出口７Ｇに搬送され製本装置に送り出されるようになっている。
【００１４】
用紙Ｓ１の両面に画像形成を行う場合には、定着手段１８により加熱定着された用紙Ｓ１を、搬送路切り替え板７Ｄにより通常の排紙通路から分岐し、反転搬送部７Ｅにおいてスイッチバックして表裏反転した後、再び画像形成部を通過し、用紙Ｓ１の裏面に画像を形成し、定着手段１８を経て、排紙ローラ７Ｃ及び第１の排出口７Ｇを通過して製本装置Ｂに送り出される。
【００１５】
原稿搬送装置３１は原稿を１枚ずつ読み取り位置に搬送する。原稿読取部３２は原稿搬送装置３１により搬送された原稿または原稿台３３に載置された原稿の画像を読み取って、画像信号を生成する。
【００１６】
通信部４２はネットワーク機器と通信を行い、ネットワークから送信された画像形成指令を受けて画像情報としての画像信号を生成する。
【００１７】
像担持体１１の画像処理後の表面は、クリーニング手段１７により表面に残留している現像剤が除去され、次の画像形成に備える。
【００１８】
制御部（制御手段）４１は、画像形成部や搬送部などのユニットを総括的に制御する。
【００１９】
操作部４３（指定手段）は、図示しないスイッチやＬＣＤ表示器などが配されており、用紙情報などを入力したり、本発明の表紙原稿の位置設定などを行う。
【００２０】
さらに画像形成装置Ａは後述する製本装置Ｂの用紙Ｓ２給紙部５（供給手段）から搬送された用紙Ｓ２を受け入れ、画像形成装置内の画像形成部により用紙Ｓ２の片面もしくは両面に画像を画像形成後再び製本装置Ｂに向け排出する第２の排出口７Ｈを有している。
【００２１】
つぎに実施例として、製本手段に接着剤（糊という）を用いた製本装置Ｂを基に本発明の製本システムについて説明するが、本発明は該実施の形態にこだわらない。
〈製本装置Ｂ〉
製本装置Ｂは画像形成装置Ａの第１の排出口７Ｇから排出された用紙Ｓ１を第１の受け入れ口７Ｊを介して搬送部７の途中に設けられた切り替えゲート７Ｌにより排出部７Ｍを経て排紙皿６１に排出されるか、または用紙をスイッチバックさせる用紙反転部６２に搬送する紙搬送経路を有する。
【００２２】
さらに製本装置Ｂでは、製本指定が操作部４３等で指定されている場合、用紙Ｓ１は用紙反転部６２に搬送された後、用紙反転部６２から１枚ずつ送り込まれた用紙Ｓ１を集積する集積部６３、塗布手段６４、用紙Ｓ２を収容する用紙Ｓ２給紙部５、用紙Ｓ２を給紙する給紙ローラ５１、用紙Ｓ２を用紙Ｓ１の束に対応した長さに断裁する断裁手段としてのカッター５２、表紙を支持する表紙支持部６５及び表紙と用紙が接合された本を積載する本排出部８を有する。
【００２３】
製本指定が操作部等で指定されていない場合は、用紙Ｓ１は排紙皿６１に排出される。
【００２４】
通信部４４は、画像形成装置Ａから送信された製本指令を受けて画像形成された用紙や表紙を製本する。
【００２５】
制御部（制御手段）４５は、画像形成部や搬送部などのユニットを総括的に制御する。
【００２６】
次に本発明の表紙搬送経路について説明する。
【００２７】
図１において太線は搬送経路を表し、途中の矢印はその進行方向を示す。
【００２８】
図３で後述するが、用紙Ｓ２は表表紙１、表表紙の裏側２、裏表紙の裏側３、裏表紙４の４つに表紙位置が分類されている。画像形成は表表紙１と裏表紙４が同時に、また、表表紙の裏側２と裏表紙の裏側３が同時に行われる。
【００２９】
用紙Ｓ２に画像形成する場合、用紙Ｓ２給紙部５に収容されている用紙Ｓ２は給紙ローラ５１により給紙され、切り替えゲートＧ１にて第２の受け入れ口７Ｋを経て画像形成装置Ａの第２の排出口７Ｈに搬送され、切り替えゲートＧ２、を経て切り替えゲートＧ３により反転搬送部７Ｅに進むか、またはそのまま搬送部７Ｆに進む。
【００３０】
表表紙１と裏表紙４だけに画像形成する時は、用紙２は反転搬送部７Ｅにて裏表反転されて搬送部７Ｆに進む。画像形成部で表表紙１と裏表紙４が画像形成された後、定着手段１８で加熱定着されて搬送路切り替え板７Ｄ、表紙搬送部７Ｎを経て第２の排出口７Ｈから製本装置Ｂにもどる。第２の受け入れ口７Ｋから製本装置Ｂに入った用紙Ｓ２は、裏表反転するために、一旦、用紙Ｓ２供給部５に収納される。用紙Ｓ２は再び用紙Ｓ２供給部５から出て、切り換えゲートＧ１でカッター５２に搬送され、不要部分（図３参照）を切り取られた後、表紙支持部６５に搬送されて製本される。
【００３１】
表表紙の裏側２と裏表紙の裏側３だけに画像形成する時は、用紙Ｓ２は、反転搬送部７Ｅを通らずそのまま搬送部７Ｆに進み、画像形成部で表表紙の裏側２と裏表紙の裏側３が画像形成され、加熱定着されたのち、製本装置Ｂに戻る。第２の受け入れ口７Ｋから製本装置Ｂに入った用紙Ｓ２は、切り換えゲートＧ１でカッター５２に向かい不要部分（図３参照）を切り取られた後、表紙支持部６５に搬送されて製本される。
【００３２】
また、表紙の裏表両面に画像形成する時は、用紙Ｓ２は、反転搬送部７Ｅにて反転されて搬送部７Ｆに進む。画像形成部で表表紙１と裏表紙４が画像形成された後、定着手段１８で加熱定着されて搬送路切り替え板７Ｄを経て反転搬送部７Ｅに進み、裏表反転される。次に搬送部７Ｆを通過して再び画像形成部で表表紙の裏側２と裏表紙の裏側３が画像形成された後、定着手段１８を経て、搬送路切り替え板７Ｄ、表紙搬送部７Ｎに進む。第２の受け入れ口７Ｋから製本装置Ｂに入った用紙Ｓ２は、切り換えゲートＧ１でカッター５２に搬送され、不要部分を切り取られた後、表紙支持部６５に搬送されて製本される。
【００３３】
図２は、製本システムのブロック図である。
〈画像形成装置Ａ〉
用紙Ｓ１給紙部２０は、文書作成用紙Ｓ１を収納し、制御部４１からの指示により１枚ずつ用紙を取り出し、搬送部７に送り出す。
【００３４】
搬送部７は、図１の太線で示された搬送経路に沿って用紙を搬送する。
【００３５】
画像形成部１０は、像担持体１１の周囲に、帯電手段１２、像露光手段１３、現像手段１４、転写手段１５、除電手段１６、及びクリーニング手段１７などからなり、パーソナルコンピュータＰＣなどの外部機器から送信されてきた画像データや画像読取部３０で読み取った原稿の画像データを用紙上に画像形成する。
【００３６】
画像読取部３０（画像読取手段）は、原稿搬送装置３１により搬送された原稿または原稿台３３に載置された原稿の画像を原稿読取部３２で読み取って、画像信号を生成する。
【００３７】
通信部４２は、ネットワーク機器、例えばＰＣと通信を行い、ネットワークから送信された画像形成指令を受けて画像情報としての画像信号を生成する。また、製本装置Ｂの通信部４４と接続されており、操作部から入力された製本指令等を送信する。
【００３８】
操作部４３は、図示しないスイッチやＬＣＤ表示器などが配されており、用紙情報などを入力したり、本発明の表紙原稿の設定などを行う指定手段として機能する。
【００３９】
制御部４１は、図示しないＣＰＵ（中央処理装置）、制御プログラムを記憶しているＲＯＭ、ワークメモリであるＲＡＭや画像メモリ等から構成され、接続されている搬送部７、画像形成部１０などの各部を総括的に制御する。
〈製本装置Ｂ〉
用紙Ｓ２給紙部５は、表紙作成用紙Ｓ２を収納し、制御部４５からの指示により１枚ずつ用紙を取り出し、搬送部７に送り出す。
【００４０】
搬送部７は、図１の太線で示された搬送経路に沿って用紙を搬送する。
【００４１】
製本部６０は、集積部６３，塗布手段６４、カッター５２、表紙を支持する表紙支持部６５等からなり、画像形成された用紙束と表紙を製本する。
【００４２】
制御部４５は、図示しないＣＰＵ（中央処理装置）、制御プログラムを記憶しているＲＯＭ、ワークメモリであるＲＡＭ等から構成され、接続されている搬送部７、製本部６０などの各部を総括的に制御する。
【００４３】
通信部４４は、画像形成装置Ａと通信を行い、製本指令を受けて画像形成された用紙の製本を行う。
【００４４】
図３は、包み製本の一例を示す模式図である。
【００４５】
文書作成用紙としてＡ４サイズ、表紙作成用紙としてＡ３伸び紙を使用した場合の製本の様子を示している。Ａ３伸び紙の表紙にＡ４の用紙束を糊付けし、包み込んで製本する。Ａ４の用紙束の厚さから、Ａ３伸び紙を使用した表紙のサイズが決まる。表紙への画像形成は、表表紙１と裏表紙４が同時に、また、表表紙の裏側２と裏表紙の裏側３が同時に行われる。表紙に画像を画像形成した後、製本する前にＡ３伸び紙の不要な部分を予め断裁しておく。
【００４６】
図４は、表紙に画像形成を行う原稿を指定する操作部４３を示した模式図である。
【００４７】
ここではタッチパネル式ＬＣＤを例としている。
【００４８】
４３１は、製本される形態をＬＣＤに表示したものであり、１は表表紙、２は表表紙の裏側、３は裏表紙の裏側、４は裏表紙を指している。
【００４９】
４３２は、４３１で示した表紙の位置に相当する番号の表示である。１の表表紙〜４の裏表紙である。
【００５０】
４３６〜４３８は入力ボタンであり、４３２〜４３５は表紙として画像形成する原稿の情報が設定された状態を示す表示器である。
【００５１】
４３７の三角ボタンは、４３２で示した１から４の表紙位置の何れかを設定する選択ボタンで、選択された表紙位置への入力が可能となる。選択された番号の情報４３３〜４３５は白黒反転表示してもよいし、点滅させてもよい。例えば、図４では、１の表表紙の情報を白黒反転表示している。
【００５２】
４３６は設定入力ボタンであり、数字ボタンは画像読取部３０で読み取る原稿の順番を入力する。
【００５３】
Ｆボタンは、読み込む原稿の表面を指定し、Ｒボタンは裏面を指定する。
【００５４】
Ｍボタンは、表紙専用の原稿であることを示す。Ｍボタンが入力されてない原稿の場合は表紙作成用紙と文書作成用紙のどちらにも同じ画像が画像形成される。
【００５５】
Ｃボタンは、入力のクリアボタンである。
【００５６】
４３８は確定ボタンであり、数字などを入力した後、このボタンの押下で入力が確定される。確定された後、４３３〜４３５に表示された情報は制御部４１に送信される。数字などを入力した後、確定ボタンを押さず、三角ボタンで表紙位置を変更した場合、表示は数字入力前の状態に戻る。
【００５７】
４３３は原稿を画像読取部３０で読み取る順番を表示する。例えば、「１２」とある場合は、１２頁目に読み取る原稿であることを示す。
【００５８】
例えば、表紙の位置１には、１２−Ｆ−Ｍと表示されている。１２頁目の原稿の表面を１の表表紙の位置に画像形成することを意味している。また、表紙の位置３には、１２−Ｆと表示されている。１２頁目の原稿の表面を３の裏表紙の裏面と文書用紙に画像形成することを意味している。
【００５９】
以上の操作により、
指定された原稿を表紙と文書の中の両方に画像形成することもでき、原稿を２回読み取る必要がなく、作業時間の短縮が可能となる。
【００６０】
また、表紙用として読み取った原稿の画像データを表紙作成用紙の任意な位置に画像形成できるので、予め原稿の読み取り順を合わせる必要がなくなり、作業時間が短縮できる。
【００６１】
さらに、製本された形態が、予め、表示されるので、製本のミスを未然に防ぐことが可能となる。
【００６２】
図５は、画像読み取りから製本までの動作の流れを示したフローチャートの一例である。
【００６３】
ステップＳ１では、操作部４３を用いて図４で説明した方法で表紙原稿の情報を設定する。設定された情報は制御部４１に送信される。
【００６４】
ステップＳ２では、画像読取部３０で原稿を読み取り、制御部４１の画像メモリ（不図示）に順に記憶する。
【００６５】
ステップＳ３では、画像メモリに記憶されている画像データのうちステップＳ１で設定された情報に基づいて表紙に画像形成する画像データをコピーしたり又は抜き取ったりする。
【００６６】
ステップＳ４では、文書用原稿枚数と文書用の用紙の厚さの積を背表紙幅とする。
【００６７】
ステップＳ５では、文書作成用紙幅とステップＳ４で計算した背表紙幅とから表紙サイズを決定し画像メモリ内に表紙領域を設け、ステップＳ３でコピーまたは抜き取った表紙用画像データを画像メモリの表紙領域に割付し、表紙パターンを編集する。
【００６８】
ステップＳ６では、画像メモリに記憶されている文書用画像データを文書用紙に画像形成する。
【００６９】
ステップＳ７では、画像形成した文書用紙を用紙束にする。
【００７０】
ステップＳ８では、ステップＳ５で編集した表紙パターンを表紙作成用紙に画像形成する。
【００７１】
ステップＳ９では、画像形成した表紙作成用紙の不要部分を断裁する。
【００７２】
ステップＳ１０では、用紙束と表紙作成用紙を製本する。
【００７３】
その他、画像形成装置、製本装置や製本システムを構成する各構成の細部構成及び細部動作に関しても、本発明の趣旨を逸脱することのない範囲で適宜変更可能である。
【図面の簡単な説明】
【００７４】
【図１】本発明に係る画像形成装置Ａと製本装置Ｂとを備えた製本システムの全体構成図である。
【図２】本発明に係る製本システムのブロック図である。
【図３】包み製本の一例を示す模式図である。
【図４】本発明に係る表紙に画像形成を行う原稿を指定する操作部を示した模式図である。
【図５】本発明に係る画像読み取りから製本までの動作の流れを示したフローチャートの一例である。
【符号の説明】
【００７５】
５  用紙Ｓ２供給部
１０  画像形成部
２０  用紙Ｓ１供給部
３０  画像読取部
４１、４５  制御部
４３  操作部
６０  製本部
Ａ  画像形成装置
Ｂ  製本装置
【図１】
2007150812.tif 000003
【図２】
2007150812.tif 000004
【図３】
2007150812.tif 000005
【図４】
2007150812.tif 000006
【図５】
2007150812.tif 000007